(57)【要約】      （修正有）【課題】構造がシンプルで、使用に耐え得ると同時に、ブラシの毛櫛及びブラシのピンが下に沈まないヘアブラシの植毛台構造を提供する。【解決手段】ヘアブラシの植毛台構造は、植毛台本体２が、ブラシベース部分２１と複数のブラシの毛束２２及び複数の固定パーツ２３を備える。このうち、ブラシベース部分は、熱可塑性フレキシブル樹脂から構成される板状構造体である。板状構造体内側には間隔をおいて配列され、且つ、個別に収納空間２１１１を有する複数の収納室２１１を有し、板状構造体周縁面には、突起環状部２１２が設置される。ブラシの毛束は、底部に折り返し部２２３を有する複数のブラシの毛櫛２２１及び／またはナイロン製のブラシのピン２２２から組成されるものである。固定パーツは、ブラシの毛束の折り返し部と共にブラシベース部分収納室の収納空間の箇所に嵌まり込んで固定される。【選択図】図５
0003221047.tif 000002
【実用新案登録請求の範囲】
【請求項１】
ヘアブラシの植毛台構造であって、
ヘアブラシ本体は、ブラシベース部分と複数のブラシの毛束及び複数の固定パーツを備え、
前記ブラシベース部分は、熱可塑性フレキシブル樹脂から構成される板状構造体であり、該当板状構造体内側には間隔をおいて配列され、且つ、個別に収納空間を有する複数の収納室を有し、板状構造体周縁面には、突起環状部が設置され、
前記ブラシの毛束は、底部に折り返し部を有する複数のブラシの毛櫛及び／またはナイロン製のブラシのピンから組成され、
前記固定パーツは、前記ブラシの毛束の折り返し部と共にブラシベース部分収納室の収納空間の箇所に嵌まり込んで固定されることを特徴とするヘアブラシの植毛台構造。
【請求項２】
前記ブラシの毛束は、底部に折り返し部を有する複数のブラシの毛櫛及び／またはブラシのピンから組成されており、
前記ブラシの毛束の構成は、複数のブラシの毛櫛とナイロン製のブラシのピンの組み合わせか、複数のブラシの毛櫛のみか、一本のナイロン製のブラシのピンのみであることを特徴とする請求項１に記載のヘアブラシの植毛台構造。
【請求項３】
前記固定パーツは、金属片であることを特徴とする請求項１に記載のヘアブラシの植毛台構造。
【請求項４】
前記金属片は、矩形片状構造体であることを特徴とする請求項３に記載のヘアブラシの植毛台構造。
【請求項５】
前記固定パーツは、英小文字のｌ（エル）の筆記体の形状の金属ワイヤーリングであることを特徴とする請求項１に記載のヘアブラシの植毛台構造。
【請求項６】
前記英小文字のｌ（エル）の筆記体の形状の金属ワイヤーリングは、その底部が開放式で、交差または交差に近い接続状態であることを特徴とする請求項５に記載のヘアブラシの植毛台構造。
【考案の詳細な説明】
【技術分野】
【０００１】
本考案は、ヘアブラシの植毛台構造に関し、特に、植毛台が下に沈むのを防ぐと同時に、ブラシの毛束が引っ張られる力に耐え得ることが可能で、且つ、接着剤を使用することによる環境（空気）汚染を回避するヘアブラシの植毛台構造に関するものである。
【背景技術】
【０００２】
社会経済の発展に伴い、身だしなみに注意する人が多くなっている。服装や身だしなみを整えたり、清潔に保つことは極めて重要なマナーである。適度に身だしなみを整えることは、見た目にやる気を感じさせると同時に、他人に良い印象を与えることができる。中でも、髪は大きな要素を占め、全体の身だしなみにおいて、まず髪を整えることから始める必要がある。
【０００３】
多くの場合、髪を整える際には、ヘアケア用具（ヘアブラシやヘアカーラー等）を利用し、ヘアケア用品を組み合わせて、整髪やヘアケアを行なう。例えば、整髪、ヘアメイク、ヘアケア製品を使用する時は、たいていヘアブラシを使用してヘアケア製品を均一に頭髪や髪の根元に行き渡らせる。このため、髪を整える際に用いるヘアケア用具は、現代人の身だしなみには欠かせない必需品の一つである。
【０００４】
図１に示す従来のヘアブラシの植毛台を下から見た図を例に説明する。一般に、ヘアケア用具は、たいていブラシの植毛台本体１上に、先ずブラシベース部分１１に所定の植毛穴１１１が設置されて、二つ折りにして植毛された数量の異なるブラシの毛１２を有し、さらに、ブラシベース部分１１の底部に、織布１３と接着剤１４によって、ブラシの毛１２をブラシベース部分１１上に粘着して固定される。
ヘアブラシを使用する際は、手でヘアブラシから延伸するハンドル部分（図は省略）を握って、前記ヘアブラシの毛１２を、頭髪の流れに沿って頭髪を梳かして、身だしなみを整える。
【０００５】
しかしながら、前記のような従来のブラシベース部分１１にブラシの毛１２を植毛するブラシの植毛台本体１の構造は、ヘアケアを行なう過程において、手の力、引っ張り、ブラシの毛１２とブラシベース部分１１間の接続がしっかり行なわれていない等が原因で、容易にブラシの毛１２が下に沈んだり、動揺して緩んだりする外、ブラシの毛１２のブラシの植毛台本体１構造において、ブラシの毛１２とブラシベース部分１１間の接着固定に用いられる接着剤１４が、環境保護に観念に適合せず、空気汚染を招くため、改善の必要がある。
【考案の概要】
【考案が解決しようとする課題】
【０００６】
このように、従来のヘアブラシの植毛台構造は、実際の使用上、多くの欠点を有する。したがって、本考案のヘアブラシの植毛台構造は、上記課題を解決するヘアブラシの植毛台構造を提供することを課題とする。
【０００７】
上記課題を解決するために、本考案は、構造がシンプルで、使用に耐え得ると同時に、ブラシの毛櫛及びブラシのピンが下に沈まないヘアブラシの植毛台構造を提供することを目的とする。
【０００８】
さらに、上記課題を解決するために、本考案は、構造がシンプルで、使用に耐え得ると同時に、ブラシの毛櫛及びブラシのピンが引っ張られる力に耐え得るヘアブラシの植毛台構造を提供することを目的とする。
【０００９】
また、上記課題を解決するために、本考案は、構造がシンプルで、使用に耐え得ると同時に、接着剤を使用せず、環境（空気）の汚染を生じないヘアブラシの植毛台構造を提供することを目的とする。
【課題を解決するための手段】
【００１０】
上記目的を達成するために、本考案のヘアブラシの植毛台構造は、ブラシベース部分と複数のブラシの毛束（ bristle tuft ) 及び複数の固定パーツを備えることを特徴とする。
【００１１】
さらに、上記目的を達成するために、本考案のヘアブラシの植毛台構造における前記ブラシベース部分は、熱可塑性フレキシブル樹脂材料により構成される板状構造体であり、板状構造体の内側には、間隔をおいて配列され、且つ、個別に収納空間を有する複数の収納室を有して、板状構造体の周縁面には突起環状部が環状設置されることを特徴とする。
【００１２】
さらに、上記目的を達成するために、本考案のヘアブラシの植毛台構造における前記ブラシの毛束は、底部に折り返し部を有する複数のブラシの毛櫛及び／またはナイロン製のブラシのピンから組成されたもの、つまり、前記ブラシの毛束の構成は、複数のブラシの毛櫛とナイロン製のブラシのピンの組み合わせか、複数のブラシの毛櫛のみか、一本のナイロン製のブラシのピンのみであることを特徴とする。
【００１３】
さらに、上記目的を達成するために、本考案のヘアブラシの植毛台構造における前記固定パーツは、前記ブラシの毛束の折り返し部とブラシベース部分の収納室の収納空間の箇所に、嵌め込んで固定され、前記固定パーツは、金属片または金属ワイヤーリングであることを特徴とする。
【００１４】
このように、上述の構成により組成された本考案のヘアブラシの植毛台構造は、前記ブラシベース部分の収納室底部のストッパー作用と、固定パーツがブラシベース部分の収納空間及びブラシの毛束底部の収納室における折り返し部において、しっかり嵌まり込んで固定されることにより、ブラシの毛束全体が、頭髪を整える過程において、下に沈んだり、動揺して緩んだりすることがないと同時に、ブラシベース部分の板状構造体周縁面に環状に設置される突起環状部により、ブラシベース部分全体の外に張る強度が増して、直接前記ブラシベース部分全体が、ブラシ台のくぼみ部分にしっかりと嵌まり込んで固定され、製造及び組み立ての過程全体において、いかなる接着剤の使用も必要とせず、粘着固定が行なえることで、工程の省略ができ、コストの削減が可能であると同時に、環境汚染を回避する。したがって、本考案のヘアブラシの植毛台構造は、構造上丈夫で、使用に耐え得るものである。
【００１５】
ここで述べる固定パーツは、金属片である。
【００１６】
ここで述べる固定パーツは、金属ワイヤーリングである。
【００１７】
ここで述べる金属片は、矩形片状構造体である。
【００１８】
ここで述べる金属ワイヤーリングは、英小文字のｌ（エル）を筆記体の形状としたもので、その底部は開放式で、交差または交差に近い接続状態である。
【考案の効果】
【００１９】
本考案のヘアブラシの植毛台構造は、前記ブラシベース部分の収納室底部のストッパー作用と、固定パーツがブラシベース部分の収納空間及びブラシの毛束底部の収納室における折り返し部において、しっかり嵌まり込んで固定されることにより、ブラシの毛束全体が、頭髪を整える過程において、下に沈んだり、動揺して緩んだりすることがなく、且つ、ブラシベース部分の板状体周縁面に環状に設置される突起環状部により、ブラシベース部分全体の外に張る強度が増して、直接前記ブラシベース部分全体が、ブラシ台のくぼみ部分にしっかりと嵌まり込んで固定され、製造及び組み立ての過程全体において、いかなる接着剤の使用も必要とせず、粘着固定が行なえることで、工程の省略ができ、コストの削減が可能であると同時に、環境汚染を回避する。
【図面の簡単な説明】
【００２０】
【図１】従来のブラシの植毛台を下から見た立体図である。
【図２】本考案の第一実施例におけるヘアブラシの植毛台を下から見た立体図である。
【図３】本考案の第一実施例におけるヘアブラシの植毛台ベース部分を上から見た図である。
【図４】本考案の第一実施例におけるヘアブラシの植毛台ベース部分の側面断面図である。
【図５】本考案の第一実施例におけるヘアブラシ植毛台の構造を示した図である。
【図６】本考案の第二実施例におけるヘアブラシ植毛台の構造を示した図である。
【図７】本考案の第三実施例におけるヘアブラシ植毛台の構造を示した図である。
【図８】本考案の第四実施例におけるヘアブラシ植毛台の構造を示した図である。
【図９】本考案の第五実施例におけるヘアブラシの立体外観図である。
【図１０】本考案の第六実施例におけるヘアブラシを下から見た立体図である。
【図１１】金ワイヤーリングの形状を示すための図である。
【考案を実施するための形態】
【００２１】
本考案は、主に、構造がシンプルで、使用に耐え得ると同時に、ブラシの毛束が下に沈むのを防ぎ、ブラシの毛束が引っ張られる力に耐え得る上に、さらに、接着剤の使用による環境（空気）の汚染を回避するヘアブラシの植毛台構造であり、上述の目的に基づき、好適な実施例を示し、図を組み合わせて、以下に、本考案の構造及びその効果を説明する。
【００２２】
同時に図２から図８までを参照しながら説明する。本考案のヘアブラシの植毛台構造は、植毛台本体２が、ブラシベース部分２１と複数のブラシの毛束２２及び複数の固定パーツ２３を備える。
【００２３】
前記ブラシベース部分２１は、熱可塑性フレキシブル樹脂から構成される板状構造体である。板状体内側には間隔をおいて配列され、且つ、個別に収納空間２１１１を有する複数の収納室２１１を有し、板状体周縁面には、突起環状部２１２が設置される。
【００２４】
前記ブラシの毛束２２は、底部に折り返し部２２３を有する複数のブラシの毛櫛２２１及び／またはナイロンのブラシのピン２２２から組成される。つまり、前記ブラシの毛束の構成は、複数のブラシの毛櫛２２１にナイロン製のブラシのピン２２２を組み合わせたものか、複数のブラシの毛櫛２２１のみか、一本のナイロン製のブラシのピン２２２のみである。
【００２５】
前記固定パーツ２３は、前記ブラシの毛束２２の折り返し部２２３と共にブラシベース部分２１の収納室２１１の収納空間２１１１の箇所に嵌め込まれて固定される。実施時は、前記固定パーツ２３は金属片または金属ワイヤーリングである。
【００２６】
本考案のヘアブラシの植毛台構造は、その製造過程において、ブラシの毛束２２底部の折り返し部２２３の箇所を介して、固定パーツ２３と共に、ブラシベース部分２１の収納室２１１の収納空間２１１１中に植え込まれて固定される。前記収納室２１１底部のストッパー作用により、ブラシの毛束２２が、頭髪を整える過程において下に沈むことがない。
同時に、前記固定パーツ２３により、前記ブラシの毛束２２底部の折り返し部２２３の箇所及び前記固定パーツ２３の前記ブラシベース部分２１の収納室２１１の収納空間２１１１に対して、嵌まり込んで固定される効果を有することで、ブラシの毛束２２が、頭髪を整える過程において、動揺して緩むことがなく、前記ブラシの毛束２２は引っ張られる力に耐え得ることができる。
【００２７】
当然、本考案のヘアブラシの植毛台構造は、実際に使用時、前記ブラシの毛束２２底部の折り返し部２２３の箇所において、嵌め込んで固定される固定パーツ２３は、金属片または金属ワイヤーリングである。金属片は、図５、図６に示したように、矩形片状構造体である。金属ワイヤーリングは、図１１に示すように、筆記体のｌ（小文字のエル）型の形状で、その底部は開放されていて、交差（図７に示したとおり）または交差に近い接続状態（図８に示したとおり）で、両者共適用が可能であり、本考案では、特に厳格に制限しない。
【００２８】
ここで言及すべきは、本考案のヘアブラシの植毛台構造は、ブラシの毛束２２底部の折り返し部２２３の箇所を介して、固定パーツ２３と共に、ブラシベース部分２１の収納室２１１の収納空間２１１１中に植え込まれて固定される。
したがって、製造の過程において、従来のヘアブラシの植毛台のように、織物及び接着剤によりブラシの毛束２２とブラシベース部分２１間において粘着固定をする必要がない。したがって、本考案のヘアブラシの植毛台構造は、ブラシの毛束２２が下に沈むのを防ぐと同時に、引っ張る力に充分耐え得る効果を有し、且つ、接着剤を使用することによる空気汚染を回避する。
【００２９】
また、本考案のヘアブラシの植毛台構造は、ブラシベース部分２１が必要とする柔軟度及び弾力性と厚みを達成するために、採用される材料は、従来のフレキシブル材料より丈夫な熱可塑性フレキシブル材質で、一体射出成型により製造されることで、固定パーツ２３の嵌め込み固定の強度を高くすることができる。
さらに、本考案のヘアブラシの植毛台構造におけるブラシベース部分２１とブラシ台３のくぼみ部分３１との間に、好適な周縁部分のかみ合い効果を有し、特にブラシベース部分２１の板状体の周縁面に、突起環状部２１２が設置されて、前記突起環状部２１２によって、ブラシベース部分２１全体の外に張り出す強度が増し、直接前記ブラシベース部分２１全体が、前記ブラシ台３、４のくぼみ部分３１、４１上に嵌まり込んで固定される。図９、図１０を参照しながら説明する。実施の過程において、いかなる接着剤による粘着固定をも必要としないことで、工程が省略できるだけでなく、コストの削減も可能であり、且つ、空気汚染を回避して環境保護の目的も達成する。
【００３０】
前記図１０に開示されるのは、本考案のヘアブラシの植毛台構造を結合させたヘアブラシを下から見た立体図である。このうち、ブラシベース部分２１の収納室２１１は露出し、前述の実施例のようにカバーに覆われていないことで、前記植毛台底部（背面）の外観が、粒状の表面を有する形態であり、それがヘアブラシ全体の見た目の特色となり、デザイン的価値観を有する。
【００３１】
従来の構造と比較して、本考案に開示するヘアブラシの植毛台構造は、ブラシベース部分の収納室底部のストッパー作用により、ヘアブラシ全体のブラシの毛束が、頭髪を整える過程において、下に沈むことがなく、同時に、固定パーツがブラシベース部分の収納空間及びブラシの毛束における底部の折り返し部に対して、しっかりと嵌まり込んで固定作用が生じることで、ブラシの毛束全体が頭髪を整える過程において動揺して緩むことがない。
さらに、ブラシベース部分板状体周縁面に、突起環状部が環状設置されて、ブラシベース部分全体の外に張る強度が増し、直接前記ブラシベース部分全体がブラシ台のくぼみ部分にしっかりと嵌まり込んで固定される。製造及び組み立ての過程全体において、いかなる接着剤による粘着固定をも必要としないことで、工程が省略できるだけでなく、コストの削減も可能であり、且つ、空気汚染を回避して環境保護の目的も達成する。したがって、本考案のヘアブラシの植毛台構造は、構造上丈夫で、使用に耐え得るものである。
【００３２】
以上、本考案の実施例を図面を参照して詳述してきたが、具体的な構成は、これらの実施例に限られるものではなく、本考案の要旨を逸脱しない範囲の設計変更などがあっても、本考案に含まれる。
【符号の説明】
【００３３】
１            従来のヘアブラシの植毛台本体
１１          ブラシベース部分
１１１        植毛穴
１２          ブラシの毛櫛
１３          織物
１４          接着剤
２            植毛台本体
２１          ブラシベース部分
２１１        収納室
２１１１      収納空間
２１２        突起環状部
２２          ブラシの毛束
２２１        ブラシの毛櫛
２２２        ブラシのピン
２２３        折り返し部
２３          固定パーツ
３            ブラシ台
３１          くぼみ部分
４            ブラシ台
４１          くぼみ部分
【図１】
0003221047.tif 000003
【図２】
0003221047.tif 000004
【図３】
0003221047.tif 000005
【図４】
0003221047.tif 000006
【図５】
0003221047.tif 000007
【図６】
0003221047.tif 000008
【図７】
0003221047.tif 000009
【図８】
0003221047.tif 000010
【図９】
0003221047.tif 000011
【図１０】
0003221047.tif 000012
【図１１】
0003221047.tif 000013